(57)【要約】【課題】限られたスペースを複数の可動体の待機時における収納スペースとして効率よく利用可能な遊技機の提供。【解決手段】所定の演出実行時には、第一可動体２が第一演出位置に位置し、第二可動体３が第二演出位置に位置し、第三可動体４が第三演出位置に位置することで、これら可動体が組み合わされた一体的な演出形態が構築され、所定の演出実行時以外の待機時には、第二可動体３が第二演出位置よりも直線Ｌから離れた第二待機位置に位置し、かつ第三可動体４が第三演出位置よりも直線Ｌから離れた第三待機位置に位置した状態で、第一可動体２が第一待機位置に位置することで第一可動体２の少なくとも一部が当該第二待機位置と第三待機位置の間に位置するように構成されている。【選択図】図２
2014188048.tif 000002
【特許請求の範囲】
【請求項１】
第一待機位置と第一演出位置との間を直線状に往復移動可能な第一可動体と、
前記第一可動体が移動可能な直線状の直線の一側方で第二待機位置と第二演出位置との間を往復移動可能な第二可動体と、
前記第二可動体が移動する側とは異なる前記直線の他側方で第三待機位置と第三演出位置との間を往復移動可能な第三可動体と、
を備え、
所定の演出実行時には、前記第一可動体が前記第一演出位置に位置し、前記第二可動体が前記第二演出位置に位置し、前記第三可動体が前記第三演出位置に位置することで、これら可動体が組み合わされた一体的な演出形態が構築され、
前記所定の演出実行時以外の待機時には、前記第二可動体が前記第二演出位置よりも前記直線から離れた前記第二待機位置に位置し、かつ前記第三可動体が前記第三演出位置よりも前記直線から離れた前記第三待機位置に位置した状態で、前記第一可動体が前記第一待機位置に位置することで前記第一可動体の少なくとも一部が当該第二待機位置と第三待機位置の間に位置するように構成されていることを特徴とする遊技機。
【請求項２】
前記第一待機位置に位置する前記第一可動体が前後方向において占める領域と、前記第二待機位置に位置する前記第二可動体または前記第三待機位置に位置する前記第三可動体の少なくともいずれか一方が前後方向において占める領域とは、少なくとも一部が重なっていることを特徴とする請求項１に記載の遊技機。
【請求項３】
前記第一可動体の移動方向と平行な方向に移動可能な第四可動体を備え、
前記第四可動体は前記第二可動体または第三可動体の少なくともいずれか一方に係合され、
前記第四可動体が移動するに伴い、前記第二可動体が前記第二待機位置と前記第二演出位置との間を移動する、または前記第三可動体が前記第三待機位置と前記第三演出位置との間を移動するように構成され、
前記第四可動体、および前記第二可動体または前記第三可動体の少なくともいずれか一方には、前記第二可動体または前記第三可動体の少なくともいずれか一方の移動方向を規制する規制手段が設けられていることを特徴とする請求項１または請求項２に記載の遊技機。
【請求項４】
前記規制手段は、
前記直線に対し略直交する方向に延びる、前記第二可動体または前記第三可動体の少なくともいずれか一方に形成される長孔と、
前記長孔に係合する、前記第四可動体に形成される突出部と、
前記直線に対して傾斜して配置されたレールと、
前記レールに係合する、前記第二可動体または前記第三可動体の少なくともいずれか一方に固定されたスライダと、
を含み、
前記第四可動体が移動すると、前記長孔の幅方向両側の内壁面が当該長孔内を移動する前記突出部に押されることにより、前記第二可動体または前記第三可動体の少なくともいずれか一方に固定された前記スライダが前記レールに沿って移動することで前記第二可動体が前記第二待機位置と前記第二演出位置との間を移動可能、または前記第三可動体が前記第三待機位置と前記第三演出位置との間を移動可能に構成されていることを特徴とする請求項３に記載の遊技機。
【請求項５】
前記第一可動体は、第一主可動体、およびこの第一主可動体に連動する第一副可動体を有し、
前記第一待機位置において、前記第一主可動体と前記副可動体とは少なくとも一部が前後方向で重なるように構成され、
前記第一可動体が前記第一待機位置に位置するときにおける前記第主一可動体または前記副可動体の少なくともいずれか一方が前後方向において占める領域と、前記第二待機位置に位置する前記第二可動体または前記第三待機位置に位置する前記第三可動体の少なくともいずれか一方が前後方向において占める領域とは、少なくとも一部が重なっていることを特徴とする請求項２から請求項４のいずれか一項に記載の遊技機。
【請求項６】
前記第一可動体は、前記第一待機位置から前記第一演出位置に移動するにつれ、前記第一主可動体と前記第一副可動体の前後方向で重なる領域が小さくなっていくように構成されていることを特徴とする請求項５に記載の遊技機。
【発明の詳細な説明】
【技術分野】
【０００１】
本発明は、複数の可動体が組み合わされて一体的な演出形態を構築する演出を搭載した遊技機に関する。
【背景技術】
【０００２】
このような遊技機として下記特許文献１に記載のものが公知である。特許文献１に記載の遊技機では、複数の可動体（第一装飾体と第二可動体）によって一体的な演出形態が構築される。複数の可動体は、一体的な演出形態が構築される演出が実行される以外の時には、前後方向で重なった状態で待機する（特許文献１の図１１等参照）。
【先行技術文献】
【特許文献】
【０００３】
【特許文献１】特開２００８−１２５６３０号公報
【発明の概要】
【発明が解決しようとする課題】
【０００４】
しかしながら、特許文献１に記載の遊技機のように、複数の可動体が前後方向で重なった状態で待機するように構成すると、その複数の可動体を待機させるためのスペース（以下、収納スペースと称する）が前後方向に大きくなってしまう。前後方向における収納スペースの大きさを小さくしようとすれば、複数の可動体のいずれかの厚み（前後方向の大きさ）を小さくする必要があるが、このようにすると可動体の立体感が損なわれてしまう。
【０００５】
本発明の目的は、一体的な演出形態を構築する複数の可動体を備えた遊技機において、限られたスペースを複数の可動体の待機時における収納スペースとして効率よく利用可能にすることにある。
【課題を解決するための手段】
【０００６】
上記課題を解決するためになされた請求項１の発明にかかる遊技機は、第一待機位置と第一演出位置との間を直線状に往復移動可能な第一可動体と、前記第一可動体が移動可能な直線状の直線の一側方で第二待機位置と第二演出位置との間を往復移動可能な第二可動体と、前記第二可動体が移動する側とは異なる前記直線の他側方で第三待機位置と第三演出位置との間を往復移動可能な第三可動体と、を備え、所定の演出実行時には、前記第一可動体が前記第一演出位置に位置し、前記第二可動体が前記第二演出位置に位置し、前記第三可動体が前記第三演出位置に位置することで、これら可動体が組み合わされた一体的な演出形態が構築され、前記所定の演出実行時以外の待機時には、前記第二可動体が前記第二演出位置よりも前記直線から離れた前記第二待機位置に位置し、かつ前記第三可動体が前記第三演出位置よりも前記直線から離れた前記第三待機位置に位置した状態で、前記第一可動体が前記第一待機位置に位置することで前記第一可動体の少なくとも一部が当該第二待機位置と第三待機位置の間に位置するように構成されていることを特徴とする。
【０００７】
請求項２に記載の発明は、請求項１に記載の遊技機において、前記第一待機位置に位置する前記第一可動体が前後方向において占める領域と、前記第二待機位置に位置する前記第二可動体または前記第三待機位置に位置する前記第三可動体の少なくともいずれか一方が前後方向において占める領域とは、少なくとも一部が重なっていることを特徴とする。
【０００８】
請求項３に記載の発明は、請求項１または請求項２に記載の遊技機において、前記第一可動体の移動方向と平行な方向に移動可能な第四可動体を備え、前記第四可動体は前記第二可動体または第三可動体の少なくともいずれか一方に係合され、前記第四可動体が移動するに伴い、前記第二可動体が前記第二待機位置と前記第二演出位置との間を移動する、または前記第三可動体が前記第三待機位置と前記第三演出位置との間を移動するように構成され、前記第四可動体、および前記第二可動体または前記第三可動体の少なくともいずれか一方には、前記第二可動体または前記第三可動体の少なくともいずれか一方の移動方向を規制する規制手段が設けられていることを特徴とする。
【０００９】
請求項４に記載の発明は、請求項３に記載の遊技機において、前記規制手段は、前記直線に対し略直交する方向に延びる、前記第二可動体または前記第三可動体の少なくともいずれか一方に形成される長孔と、前記長孔に係合する、前記第四可動体に形成される突出部と、前記直線に対して傾斜して配置されたレールと、前記レールに係合する、前記第二可動体または前記第三可動体の少なくともいずれか一方に固定されたスライダと、を含み、前記第四可動体が移動すると、前記長孔の幅方向両側の内壁面が当該長孔内を移動する前記突出部に押されることにより、前記第二可動体または前記第三可動体の少なくともいずれか一方に固定された前記スライダが前記レールに沿って移動することで前記第二可動体が前記第二待機位置と前記第二演出位置との間を移動可能、または前記第三可動体が前記第三待機位置と前記第三演出位置との間を移動可能に構成されていることを特徴とする。
【００１０】
請求項５に記載の発明は、請求項２から請求項４のいずれか一項に記載の遊技機において、前記第一可動体は、第一主可動体、およびこの第一主可動体に連動する第一副可動体を有し、前記第一待機位置において、前記第一主可動体と前記副可動体とは少なくとも一部が前後方向で重なるように構成され、前記第一可動体が前記第一待機位置に位置するときにおける前記第主一可動体または前記副可動体の少なくともいずれか一方が前後方向において占める領域と、前記第二待機位置に位置する前記第二可動体または前記第三待機位置に位置する前記第三可動体の少なくともいずれか一方が前後方向において占める領域とは、少なくとも一部が重なっていることを特徴とする。
【００１１】
請求項６に記載の発明は、請求項５に記載の遊技機において、前記第一可動体は、前記第一待機位置から前記第一演出位置に移動するにつれ、前記第一主可動体と前記第一副可動体の前後方向で重なる領域が小さくなっていくように構成されていることを特徴とする。
【発明の効果】
【００１２】
請求項１に記載の発明では、直線状に移動する第一可動体に対し、その直線の一側方で第二可動体が移動し、他側方で第三可動体が移動する。そして、第二可動体および第三可動体は、演出位置に位置するときよりも待機位置に位置するときの方が直線から離れるように動作するから、待機位置においては第二可動体と第三可動体の間のスペースが大きくなる。当該大きくなるスペースを利用して待機位置に位置する第一可動体の少なくとも一部が当該スペースに収納される。したがって、待機時において各可動体を収納するための収納スペースが、前後方向において大きくなるのを抑制することが可能である。別の見方をすれば、直線に直交する方向のスペースを利用することにより、前後方向の収納スペースが大きくなるのを抑制することが可能ということである。
【００１３】
請求項２に記載の発明のように、待機位置に位置する第一可動体が前後方向において占める領域と、待機位置に位置する第二可動体または第三可動体の少なくともいずれか一方が前後方向において占める領域とが重なるような場合であっても、第二可動体と第三可動体の間のスペースを利用することでこれら可動体を収納する収納スペースが前後方向に大きくなるのを抑制することが可能である。
【００１４】
請求項３に記載の発明のように、第二可動体または第三可動体の少なくともいずれか一方は、第一可動体と平行に移動する第四可動体によって（第四可動体を介して動力を伝達させることにより）動作させることが可能である。第四可動体は、第一可動体〜第三可動体とともに、一体的な演出形態の構築に利用することが可能である。
【００１５】
請求項４に記載の発明のようにすれば、第四可動体から第二可動体または第三可動体の少なくともいずれか一方に対する動力伝達機構を簡単に構築することが可能である。
【００１６】
上述したように、第二可動体および第三可動体は、演出位置に位置するときよりも待機位置に位置するときの方が直線から離れるように動作するから、待機位置においては第二可動体と第三可動体の間のスペースが大きくなる。そのため、請求項５に記載の発明のように、第一可動体が第一主可動体と第一副可動体という二つの部材を有する構成とし、第一可動体が第一待機位置に位置するときにおいてこれら二つの部材が前後方向に重ねて収納される構成とすることが可能になる。すなわち、収納スペースの確保が困難なために第一可動体を二つの部材を有する構成にすることができない、といったことがなくなるため、演出効果の向上に資する。
【００１７】
第一可動体が上記のような二つの部材で構成される場合、請求項６に記載のように、第一待機位置から第一演出位置にかけて当該二つの部材の重なる領域が小さくなっていく、すなわち両部材がだんだんと前後方向に直交する平面方向に広がっていくような演出態様とすることが可能になる。
【図面の簡単な説明】
【００１８】
【図１】本実施形態にかかる遊技機の正面図である（公知の部材は省略）。
【図２】センターベースおよびそれに取り付けられた可動体や可動体の駆動装置の正面図であり、各可動体が待機位置に位置した状態を示したものである。
【図３】センターベースおよびそれに取り付けられた可動体や可動体の駆動装置の外観斜視図であり、各可動体が待機位置に位置した状態を示したものである。
【図４】センターベースおよびそれに取り付けられた可動体の正面図であり、各可動体が待機位置に位置した状態を示したものである。
【図５】図４のＡ−Ａ線断面図（第三可動体側は省略する）である。
【図６】センターベースおよびそれに取り付けられた可動体や可動体の駆動装置の正面図であり、各可動体が演出位置に位置した状態を示したものである。
【図７】図４のＢ−Ｂ線断面図である。
【図８】センターベースおよびそれに取り付けられた可動体や可動体の駆動装置の外観斜視図であり、各可動体が演出位置に位置した状態を示したものである。
【図９】第二駆動源およびそれによって駆動される第四可動体を前側から見た斜視図である。
【図１０】第二駆動源およびそれによって駆動される第四可動体を後側から見た斜視図である。
【図１１】第二可動体を前側から見た斜視図である。
【図１２】第二可動体を後側から見た斜視図である。
【発明を実施するための形態】
【００１９】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、上下方向とは図１における上下方向を、幅方向（左右方向）とは図１における左右方向をいうものとする。
【００２０】
まず、図１を参照して遊技機１の全体構成について簡単に説明する。なお、図１では、遊技機１の枠体、遊技球を発射する発射装置、遊技球を貯留する下皿や上皿など、本発明に関係のない遊技機の構成要素は省略している。これらについては公知の遊技機と同様の構造のものが適用できる。
【００２１】
遊技機１は遊技盤９０を備える。遊技盤９０は、ほぼ正方形の合板により成形されており、発射装置の操作によって発射された遊技球（本発明における遊技媒体に相当する）を遊技領域９０２に案内する金属製の薄板からなる帯状のガイドレール９０３が略円弧形状となるように設けられている。
【００２２】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２３】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２４】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２５】
本実施形態にかかる遊技機１は、所定の演出実行時に表示装置９１の表示画面の前方に進出し、遊技盤９０の開口９０１を通じて視認可能となる複数の可動体を備える。この複数の可動体は、遊技盤９０の後方に設けられるセンターベース２５に取り付けられた駆動装置によって動作する。以下、図２〜図１２を参照して当該複数の可動体および駆動装置の構成について詳細に説明する。
【００２６】
本実施形態における駆動装置は、第一可動体２、第二可動体３、第三可動体４、第四可動体３１、および第五可動体４１（本発明における第四可動体に相当する部材でもある）を動作させる。第一可動体２は、あるキャラクタの顔（額以外の部分）を模した可動体である。本実施形態における第一可動体２は、第一主可動体２１および第一副可動体２２を有する。この第一可動体２は、第一駆動源２４の動力を受けて、上下方向に沿う直線状に、第一待機位置と第一演出位置との間を往復移動する。当該直線Ｌは、遊技機１の幅方向中央を通る直線である。
【００２７】
第一可動体２の駆動機構は次の通りである。第一駆動源２４（モータ）は、センターベース２５の左上に固定されている。第一駆動源２４の動力は、一または複数の歯車を介して第一可動体ベース２３に出力される。第一可動体ベース２３は、センターベース２５に対し、上下方向にスライド自在に支持されている。第一可動体ベース２３には、第一主可動体２１が上下方向にスライド自在に支持されている。第一主可動体２１には、第一副可動体２２が上下方向にスライド自在に支持されている。
【００２８】
第一可動体２が第一待機位置（原位置）に位置するとき、第一可動体ベース２３、第一主可動体２１、および第一副可動体２２の大部分は、互いに前後方向で重なっている。第一可動体２が第一待機位置に位置するときには、当該第一可動体２は、遊技盤９０の開口９０１の上側の部分に覆われる。第一可動体２が当該第一待機位置に位置する状態で第一駆動源２４を駆動する（正転させる）と、その動力は第一可動体ベース２３に出力され、第一可動体ベース２３は下方に移動する。
【００２９】
第一可動体ベース２３には、歯車列（図示せず）が固定されており、この歯車列の最も上に位置する歯車（入力側歯車）はセンターベース２５に固定されたラック部材に噛み合い、最も下に位置する歯車（出力側歯車）は第一主可動体２１に固定されたラック部材に噛み合っている。そのため、第一可動体ベース２３が下方に移動すると当該歯車列の最も上に位置する歯車が回転し、その回転は最も下に位置する歯車まで伝達される。この最も下に位置する歯車の回転動力は第一主可動体２１に固定されたラック部材を通じて第一主可動体２１に下方への力となって伝達される。つまり、第一可動体ベース２３が下方に移動すると、第一主可動体２１も下方へ移動する。ここで、歯車列の減速比は第一可動体ベース２３の下方への移動量よりも、それに伴う第一主可動体２１の下方への移動量が大きくなるように設定されている。つまり、第一駆動源２４の駆動量が増加するにつれ、第一可動体ベース２３と第一主可動体２１の上下方向における距離はだんだんと大きくなっていく。すなわち、第一可動体ベース２３と第一主可動体２１が前後方向で重なる領域はだんだんと小さくなっていく。
【００３０】
一方、第一主可動体２１には、上記歯車列とは別の歯車列（図示せず）が固定されており、この別の歯車列の最も上に位置する歯車（入力側歯車）は第一可動体ベース２３に固定されたラック部材に噛み合い、最も下に位置する歯車（出力側歯車）は第一副可動体２２に固定されたラック部材に噛み合っている。そのため、第一可動体ベース２３および第一主可動体２１が下方に移動すると、両者の下方への移動量の差により、当該別の歯車列の最も上に位置する歯車が回転し、その回転は最も下に位置する歯車まで伝達される。この最も下に位置する歯車の回転動力は第一副可動体２２に固定されたラック部材を通じて第一副可動体２２に下方への力となって伝達される。つまり、第一可動体ベース２３および第一主可動体２１が下方に移動すると、第一副可動体２２も下方へ移動する。ここで、当該別の歯車列の減速比は第一主可動体２１の下方への移動量よりも、それに伴う第一副可動体２２の下方への移動量が大きくなるように設定されている。つまり、第一駆動源２４の駆動量が増加するにつれ、第一主可動体２１と第一副可動体２２の上下方向における距離はだんだんと大きくなっていく。すなわち、第一主可動体２１と第一副可動体２２が前後方向で重なる領域はだんだんと小さくなっていく。
【００３１】
このように、第一駆動源２４を正転させると、第一可動体ベース２３、第一主可動体２１、および第二副可動体が下方に移動する。第一駆動源２４の駆動量に対する下方への移動量は、第一可動体ベース２３、第一主可動体２１、第一副可動体２２、の順で大きくなる。そのため、第一駆動源２４の駆動量が増えるにつれ、各部材は上下方向にだんだんと離れていきながら（平面方向に広がりながら）下方に移動し、最終的には第一主可動体２１と第一副可動体２２が表示装置９１の表示画面の前に位置し、演出形態の一部（例えば、あるキャラクタの顔を模した形態）を構築する。当該状態が、第一可動体２が第一演出位置に位置した状態である。
【００３２】
一方、第一可動体２が第一演出位置に位置した状態で第一駆動源２４を逆転させると、上記第一待機位置から第一演出位置に向かう動作とは逆の動作で、第一可動体２は第一待機位置に戻る。すなわち、第一駆動源２４の駆動量が増えるにつれ、各部材は上下方向にだんだんと近づきながら上方に移動し、最終的には第一可動体ベース２３および第一副可動体２２の大部分が第一主可動体２１に覆われた状態で、センターベース２５の上側縁に位置する。このように本実施形態では、第一待機位置において第一可動体ベース２３、第一主可動体２１、および第一副可動体２２が前後方向で互いに重なる領域は、第一演出位置におけるそれよりも大きくなる。つまり、平面方向において第一可動体２全体が占める領域は、第一待機位置で最も小さくなる。当該第一待機位置では、第一可動体２の大部分は、遊技盤９０における開口９０１よりも上側の部分に覆われる。すなわち、第一可動体２は遊技者からは視認困難な状態となる。
【００３３】
第二可動体３および第三可動体４は、演出形態の一部（例えば、あるキャラクタの額を模した形態）を構築する可動体である。第二可動体３は第二駆動源３２の動力が第四可動体３１を介して伝達されることによって、第三可動体４は第三駆動源４２の動力が第五可動体４１を介して伝達されることによって動作する。具体的には、第二可動体３は第一可動体２の移動方向に沿う上記直線Ｌの一側方（本実施形態では左側）で第二待機位置と第二演出位置との間を直線Ｌに対して斜め方向に往復移動し、第三可動体４は上記直線Ｌの他側方（本実施形態では右側）で第三待機位置と第三演出位置との間を直線Ｌに対して斜め方向に往復移動する。
【００３４】
第四可動体３１および第五可動体４１は、演出形態の一部（例えば、あるキャラクタの髪を模した形態）を構築する可動体である。第四可動体３１は第二駆動源３２によって、第五可動体４１は第三駆動源４２によって動作する。第四可動体３１および第五可動体４１の移動方向は、第一可動体２の移動方向と平行である。すなわち、第四可動体３１は上記直線Ｌの一側方で第四待機位置と第四演出位置との間を上下方向に往復移動し、第五可動体４１は上記直線Ｌの他側方で第五待機位置と第五演出位置との間を上下方向に往復移動する。
【００３５】
以下、これら可動体の駆動機構について説明する。なお、本実施形態では、第二可動体３と第三可動体４、および、第四可動体３１と第五可動体４１は、上記直線Ｌを対称軸とする左右対称形状（厳密には、上記直線Ｌを含む遊技機１を幅方向に二分する面を対称面とする左右対称形状）であり、その動作も左右対称形状であるため、第二可動体３と第四可動体３１の駆動機構を詳細に説明し、第三可動体４と第五可動体４１の駆動機構については簡単な説明に留める。
【００３６】
第二可動体３と第四可動体３１を動作させる第二駆動源３２は、センターベース２５の左上に固定されている。第一駆動源２４の動力は、一または複数の歯車を介して駆動用ラック部材３１１に出力される。
【００３７】
駆動用ラック部材３１１は第四可動体３１に固定されている。センターベース２５には、上下方向に沿う第一レール２５３が固定されている。この第一レール２５３には、第四可動体３１に固定された第一スライダ３１３が係合している。駆動用ラック部材３１１に第二駆動源３２の動力が伝達されると、第四可動体３１が第一レール２５３に沿って上下動する。
【００３８】
第二可動体３の後方には、幅方向に沿う長孔３３が形成されている（図１２参照）。この長孔３３内には、第四可動体３１に形成された突出部３２１（図９参照）が係合している。突出部３２１は長孔３３内をスライド可能である。センターベース２５には、上記直線Ｌ（上下方向）に対して傾斜した第二レール２５４（本発明におけるレールに相当する）が固定されている。第二レール２５４は上端から下端にかけて左から幅方向中央に向かうように傾斜している（図６、図８参照）。つまり、上端から下端にかけてだんだんと上記直線Ｌに近づく方向に傾斜している。この第二レール２５４には、第二可動体３に固定された第二スライダ３４（本発明におけるスライダに相当する；図１２参照）が係合している。
【００３９】
第二可動体３が第二待機位置に、第四可動体３１が第四待機位置に位置した状態で、第二駆動源３２を駆動させる（正転させる）と、その動力が駆動用ラック部材３１１に伝達され、第四可動体３１が下方に移動する。第四可動体３１が下方に移動すると、突出部３２１が長孔３３の下側内壁面（長孔３３の幅方向両側のうちの下側の内壁面）を押す。これにより、第二可動体３に下向きの力が伝達され、第二可動体３は第二レール２５４に沿ってだんだんと直線Ｌに近づきながら下方に移動する。このとき、突出部３２１は長孔３３内をスライドする。つまり、突出部３２１が長孔３３内をスライドしながら、長孔３３の下側内壁面を押すことで、第二可動体３は第四可動体３１とともに移動する。そして、最終的には、第二可動体３が第二待機位置に対して斜め右下にある第二演出位置に、第四可動体３１が第四待機位置の真下にある第四演出位置に到達する。第二駆動源３２によって第二演出位置に到達した第二可動体３は、第三駆動源４２によって左右対称に移動して第三演出位置に到達した第三可動体４とともに、表示装置９１の表示画面の前で、演出形態の一部（例えば、あるキャラクタの額）を構築する。すなわち、第三可動体４も第二可動体３と同様に、センターベース２５に固定された上記直線Ｌ（上下方向）に対して傾斜した第四レール２５６（本発明におけるレールに相当する）に対して、第三可動体４に固定されたスライダ（図示せず。本発明におけるスライダに相当する）がスライドすることで斜め方向に移動可能に構成されている。第二駆動源３２によって第四演出位置に到達した第四可動体３１は、第三駆動源４２によって左右対称に移動して第五演出位置に到達した第五可動体４１とともに、表示装置９１の表示画面の前で、演出形態の一部（例えば、あるキャラクタの髪）構築する。すなわち、第五可動体４１も第四可動体３１と同様に、センターベース２５に固定された上記直線Ｌ（上下方向）に沿う第三レール２５５に沿って移動可能に構成されている。
【００４０】
所定の演出実行時には、第一可動体２（第一主可動体２１および第一副可動体２２）を第一演出位置に向けて移動させた後、第二可動体３と第四可動体３１、および第三可動体４と第五可動体４１のそれぞれを演出位置に向けて移動させ、全ての可動体が演出位置に到達することにより、これら第一可動体２〜第五可動体４１が組み合わされてなる一体的な演出形態が表示装置９１の表示画面の前で構築される。なお、所定の演出実行時とは、一体的な演出形態を構築する演出を実行することが決定された場合で、大当たり判定図柄変動中の一部の時間（例：大当たり変動演出・リーチ演出）や大当たり中をいう。大当たり判定図柄変動中に一体的な演出形態を構築する演出を実行するか否かは、一般的にはサブ基板に搭載される演出決定手段が、大当たりの成否等に応じて決定する。
【００４１】
一方、第二可動体３が第二演出位置に、第四可動体３１が第四演出位置に位置した状態で、第二駆動源３２を駆動させる（正転させる）と、その動力が駆動用ラック部材３１１に伝達され、第四可動体３１が上方に移動する。第四可動体３１が上方に移動すると、突出部３２１が長孔３３の上側内壁面（長孔３３の幅方向両側のうちの上側の内壁面）を押す。これにより、第二可動体３に上向きの力が伝達され、第二可動体３は第二レール２５４に沿ってだんだんと直線Ｌから離れながら上方に移動する。そして、最終的には、第二可動体３が第二待機位置に、第四可動体３１が第四待機位置に到達する。第三可動体４も、第三駆動源４２によって第二可動体３と左右対称に動作するのであるから、第三演出位置から第三待機位置に移動する際には、だんだんと直線Ｌから離れながら上方に移動する。待機位置に位置する第二可動体３〜第五可動体４１は、遊技盤９０における開口９０１よりも上側の部分に覆われる。すなわち、第二可動体３〜第五可動体４１は、第一可動体２とともに、遊技者からは視認困難な状態となる。上記所定の演出時以外の待機時には、各可動体は当該状態にある。
【００４２】
このように、本実施形態では、第二可動体３および第三可動体４には、第四可動体３１および第五可動体４１を介して動力が伝達される。第二可動体３および第三可動体４の移動方向は、長孔３３、突出部３２１、第二レール２５４、および第二スライダ３４を構成要素とする規制手段によって規制される。このうち、長孔３３および突出部３２１は、第四可動体３１から第二可動体３、第五可動体４１から第三可動体４への動力伝達要素でもある。
【００４３】
なお、第一可動体２〜第五可動体４１によって一体的な演出形態が構築された状態から、各可動体を待機位置に移動させる場合には、第二可動体３と第四可動体３１、および第三可動体４と第五可動体４１（第一可動体２以外の可動体）のそれぞれを待機位置に向けて移動させてから、第一可動体２を第一待機位置に向けて移動させる。つまり、待機位置から演出位置に向かって移動させる場合には第一可動体２の移動を先に実行し、演出位置から待機位置に向かって移動させる場合には第一可動体２以外の可動体の移動を先に実行する。
【００４４】
このように、本実施形態では、第二可動体３および第三可動体４は、待機位置から演出位置に向かう際には、下方に移動するにつれてだんだんと直線Ｌ（第一演出位置に位置する第一可動体２）に近づく。一方、演出位置から待機位置に向かう際には、上方に移動するにつれてだんだんと直線Ｌから離れる。したがって、幅方向における第二可動体３と第三可動体４の間のスペースは、両可動体が演出位置に位置するときよりも待機位置に位置するときの方が大きくなる。この待機位置に位置する第二可動体３と第三可動体４の間のスペースに、第一待機位置に位置する第一可動体２の少なくとも一部（第一可動体２から突出した突出部分）が収納される。
【００４５】
つまり、本実施形態にかかる遊技機１では、所定の演出実行時においては、直線状に動作して第一演出位置に位置した第一可動体２に対して近づきながら第二可動体３および第三可動体４が移動し、最終的には第二演出位置、第三演出位置に到達することにより一体的な演出形態が構築される。これに対し、所定の演出実行時以外の待機時には、直線Ｌから離れながら第二可動体３および第三可動体４が移動し、第一待機位置に戻る第一可動体２を収納するためのスペースを確保するように動作する。これにより、第一待機位置に位置する第一可動体２と、第二待機位置に位置する第二可動体３や第三待機位置に位置する第三可動体４とが前後方向に重なる部分が小さくなるから、前後方向におけるこれら待機位置に位置する可動体を収納するためのスペースを小さくすることが可能となる。換言すれば、遊技機１内における限られたスペースを効率よく利用することが可能となる。
【００４６】
本実施形態では、第一待機位置に位置する第一可動体２が前後方向において占める領域、すなわち第一可動体２を幅方向に沿って投影した領域Ｓ１と、第二待機位置に位置する第二可動体３や第三待機位置に位置する第三可動体４が前後方向において占める領域、すなわち第二可動体３や第三可動体４を幅方向に沿って投影した領域Ｓ２とは、少なくとも一部が重なっている（図５参照）。具体的には、第一待機位置に位置する第一主可動体２１の略中央に形成される前方に突出した突出部分（例えば、あるキャラクタの一部である「鼻」の部分２１１（図５、図７参照））の占める領域が、第二可動体３や第三可動体４の大部分と重なる。このような形状であるため、例えば、第一可動体２の略全体に第二可動体３または第三可動体４が干渉しないようにしつつ両可動体を前後方向に重ねて収容しようとすると、必要な収納スペースの前後方向における大きさが大きくなってしまうし、また第一可動体２の略全体に第二可動体３または第三可動体４の両可動体を前後方向に重ねて収納する場合にこれらを収納するスペースの前後方向における大きさを小さくしすぎると、第一可動体２に第二可動体３または第三可動体４が干渉してしまうおそれがあるところ、本実施形態では、第二可動体３と第三可動体４が幅方向に離れて待機するため、第二可動体３と第三可動体４との間に収納スペースが発生し、その収納スペースに第一可動体２の少なくとも一部（第一可動体２から突出した突出部分）を収納させることで、当該必要な収納スペースの前後方向における大きさが小さくなる。すなわち、必要な収納スペースの前後方向における大きさが大きくなり過ぎないよう、幅方向のスペースを有効利用したものであるともいえる。
【００４７】
また、本実施形態では、第一可動体２は第一主可動体２１および第一副可動体２２を有し、第一待機位置において第一主可動体２１と第一副可動体２２は互いにその大部分が前後方向で重なる（少なくとも第一演出位置において重なる領域よりも大きい）。このように第一可動体２を二つの部材で構成し、第一待機位置において前後方向で重ねて収納する場合、第一可動体２を収納するためのスペースが前後方向に大きくなってしまい、当該スペースの確保が困難になるおそれがあるところ、本実施形態では第二可動体３と第三可動体４が上記直線Ｌから離れて待機する（上記直線Ｌから離れながら待機位置に戻る）構成であるため、第二可動体３と第三可動体４の間が空き、上記スペースを確保することが可能である。別の見方をすれば、第二可動体３と第三可動体４が上記直線Ｌから離れて待機する構成であるため、第一可動体２が二つの部材（待機位置で大部分が重なり、演出位置でその重なりが小さくなるように広がる二つの部材）を有する構成とすることが可能となり、演出の幅が広がる、ということがいえる。
【００４８】
以上、本発明の実施の形態について詳細に説明したが、本発明は上記実施の形態に何ら限定されるものではなく、本発明の要旨を逸脱しない範囲で種々の改変が可能である。
【００４９】
例えば、上記実施形態かかる遊技機１では、第一待機位置に位置する第一可動体２が前後方向に占める領域が、第二待機位置に位置する第二可動体３が前後方向に占める領域、および第三待機位置に位置する第三可動体４が前後方向に占める領域の両方に重なる構成であるが、第二待機位置に位置する第二可動体３が前後方向に占める領域、または第三待機位置に位置する第三可動体４が前後方向に占める領域のいずれか一方のみに重なる構成であっても、本発明の技術思想は適用可能である。
【００５０】
また、上記実施形態では、第二可動体３と第三可動体４、第四可動体３１と第五可動体４１が左右対称形状であり、左右対称に動作するものであることを説明したが、左右対称であることを必須の条件とするものではない。
【００５１】
また、上記実施形態では、第四可動体３１を介して第二可動体３に、第五可動体４１を介して第三可動体４に動力が伝達される構成（同じ駆動源によって動作する構成）であることを説明したが、第四可動体３１と第二可動体３、第五可動体４１と第三可動体４が、別の駆動源で独立して動作するように構成してもよい。第四可動体３１と第二可動体３、第五可動体４１と第三可動体４の一方が同じ駆動源によって動作し、他方が別の駆動源によって動作する構成であってもよい。
【００５２】
また、上記実施形態では、第一待機位置に位置する第一主可動体２１の略中央に形成される前方に突出した突出部分（例えば、あるキャラクタの一部である「鼻」の部分）が、待機位置に位置する第二可動体３や第三可動体４の大部分と前後方向で重なる、すなわち、第一主可動体２１が前後方向で占める領域と、第二可動体３や第三可動体４が前後方向で占める領域の少なくとも一部が重なる構成であることを説明したが、第一副可動体２２が前後方向で占める領域と、第二可動体３や第三可動体４が前後方向で占める領域の少なくとも一部が重なる構成とする場合であっても、本発明の技術思想は適用可能である。
【符号の説明】
【００５３】
１  遊技機
２  第一可動体
２１  第一主可動体
２２  第一副可動体
２５  センターベース
２５３  第一レール
２５４  第二レール
３  第二可動体
３１  第四可動体
３１２  突出部
３１３  第一スライダ
３３  長孔
３４  第二スライダ
４  第三可動体
４１  第五可動体
Ｌ  直線
【図１】
2014188048.tif 000003
【図２】
2014188048.tif 000004
【図３】
2014188048.tif 000005
【図４】
2014188048.tif 000006
【図５】
2014188048.tif 000007
【図６】
2014188048.tif 000008
【図７】
2014188048.tif 000009
【図８】
2014188048.tif 000010
【図９】
2014188048.tif 000011
【図１０】
2014188048.tif 000012
【図１１】
2014188048.tif 000013
【図１２】
2014188048.tif 000014